(57)【要約】【課題】倍率が１０倍程度の望遠鏡或は双眼鏡において見掛け視界が６０度以上と広視野で高性能を実現する接眼レンズの提供。【解決手段】入射側より順に少なくとも１枚の負レンズと１枚の正レンズから成る第Ｉレンズ群、中間結像面、複数のレンズから成る第IIレンズ群から構成される接眼レンズにおいて、  第Ｉレンズ群の負レンズと正レンズを構成するガラス材料のアッベ数、部分分散比をそれぞれν１ｄ，θ１ｇｄ，ν２ｄ，θ２ｇｄとするとき、次式：    ０．０００４＜（θ１ｇｄ−θ２ｇｄ）／（ν２ｄ−ν１ｄ）＜０．０００９  且つ、８０＜ν１ｄを満たす。【選択図】図１
2006171636.tif 000002
【特許請求の範囲】
【請求項１】
入射側より順に少なくとも１枚の負レンズと１枚の正レンズから成る第Ｉレンズ群、中間結像面、複数のレンズから成る第IIレンズ群から構成される接眼レンズにおいて、
第Ｉレンズ群の負レンズと正レンズを構成するガラス材料のアッベ数、部分分散比をそれぞれν１ｄ，θ１ｇｄ，ν２ｄ，θ２ｇｄとするとき、次式：
０．０００４＜（θ１ｇｄ−θ２ｇｄ）／（ν２ｄ−ν１ｄ）＜０．０００９
且つ、８０＜ν１ｄ
を満たすことを特徴とする接眼レンズ。
【請求項２】
第Ｉレンズ群は、入射側から順に入射側に強い凹面を有する負レンズ、射出側に強い凸面を有する正メニスカスレンズから構成されることを特徴とする請求項１記載の接眼レンズ。
【発明の詳細な説明】
【技術分野】
【０００１】
本発明は、１０倍程度の望遠鏡或は双眼鏡等の光学機器に使用され、対物レンズで形成された物体像を観察するのに適した接眼レンズに関し、特に高解像度、広視界を実現する接眼レンズに関するものである。
【背景技術】
【０００２】
望遠鏡、双眼鏡では視野を無理なく観察できるように広視野の観察が望まれる。望遠鏡、双眼鏡では対物レンズの像を接眼レンズで拡大して観察する構成になるが、対物レンズの実画角は元来極めて小さいために高性能、広視野を実現するには見掛け視界の大きい接眼レンズの性能に負うところが大きい。
【０００３】
広視野になるほど、接眼レンズは視野周辺の性能劣化が発生しやすいので、接眼レンズが大型化、レンズ構成の複雑化するという欠点がある。従来、広視野の接眼レンズの提案例として特許文献１，２等が挙げられる。
【０００４】
【特許文献１】特開平０５−１１９２７３号公報
【特許文献２】特開平０８−００５９３８号公報
【発明の開示】
【発明が解決しようとする課題】
【０００５】
本発明は、倍率が１０倍程度の望遠鏡或は双眼鏡において見掛け視界が６０度以上と広視野で高性能を実現する接眼レンズの提供を目的にする。
【課題を解決するための手段】
【０００６】
上記目的を達成するため、請求項１記載の発明は、入射側より順に少なくとも１枚の負レンズと１枚の正レンズから成る第Ｉレンズ群、中間結像面、複数のレンズから成る第IIレンズ群から構成される接眼レンズにおいて、
第Ｉレンズ群の負レンズと正レンズを構成するガラス材料のアッベ数、部分分散比をそれぞれν１ｄ，θ１ｇｄ，ν２ｄ，θ２ｇｄとするとき、次式：
０．０００４＜（θ１ｇｄ−θ２ｇｄ）／（ν２ｄ−ν１ｄ）＜０．０００９
且つ、８０＜ν１ｄ
を満たすことを特徴とする。
【０００７】
請求項２記載の発明は、請求項１記載の発明において、第１レンズ群は、入射側から順に入射側に強い凹面を有する負レンズ、射出側に強い凸面を有する正メニスカスレンズから構成されることを特徴とする。
【発明の効果】
【０００８】
本発明によれば、本発明の接眼レンズを採用することによって６０度以上の広視野にも拘らず視野周辺まで色収差の極めて少ない良好な性能を有する１０倍程度の望遠鏡及び双眼鏡を実現できるという効果が得られる。
【発明を実施するための最良の形態】
【０００９】
以下図面を用いて本発明の詳細を説明する。
【００１０】
図１及び図２は本発明の接眼レンズのレンズ断面図である。これらの接眼レンズは見掛け視界６４度、瞳径４. １、アイレリーフ１５−１６ｍｍを実現できる。図中、ＯＣＬは接眼レンズ、ＩＰはアイポイント（観察位置）、ＭＩＰは中間結像位置、Ｌ１，Ｌ２は接眼レンズの第Ｉレンズ群を構成する第１，２レンズ群、Ｌ３，Ｌ４，Ｌ５は接眼レンズの第IIレンズ群を構成する第３，４，５レンズ群、Ｌ３ｎ，Ｌ３ｐ，Ｌ５ｎ，Ｌ５ｐは第３，５レンズ群を構成する負レンズ、正レンズを表す。
【００１１】
図中、接眼レンズＯＣＬは入射側より順に入射側面が射出面側より強い曲率を有する両凹レンズより成る第１レンズ群Ｌ１、射出面側に強い曲率の凸面を有する正屈折力の第２レンズ群Ｌ２、中間像位置ＭＩＰを介し、射出側に凸面のメニスカス形状で全体として正の屈折力の接合レンズより成る第３レンズ群Ｌ３、両凸レンズの第４レンズ群Ｌ４、入射側に強い曲率を有する正の屈折力の第５レンズ群Ｌ５より構成される。
【００１２】
第１レンズ群Ｌ１と第２レンズ群Ｌ２から成る第Ｉレンズ群は像面平坦化レンズを構成し、対物レンズで発生する像面湾曲の拡大を防止し、且つ、接眼レンズの像面湾曲の発生を抑える機能を有する。強い負の屈折力の第１レンズ群Ｌ１で像面平坦化を図り、第１レンズ群Ｌ１において発生する軸外収差を第２レンズ群Ｌ２により補正している。更に、第１レンズ群Ｌ１の両凹レンズと第２レンズ群Ｌ２で形成される空気レンズにより視野周辺の像性能劣化を緩和できる。
【００１３】
中間像位置ＭＩＰを介して第３レンズ群Ｌ３は、第２レンズ群Ｌ２と対向する入射面を第２レンズ群Ｌ２の射出面と同等の曲率として全体の収差発生を抑えている。接眼レンズＯＣＬが広視野のため周辺視野の光束は周辺になるほど第３レンズ群Ｌ３と第４レンズ群Ｌ４の周辺部を通過し像面湾曲など収差が発生し易い構成である。
【００１４】
そこで、第３レンズ群Ｌ３と第４レンズ群Ｌ４と第５レンズ群Ｌ５を全て正屈折力として光束が徐々に屈折するように構成して収差の発生を抑えている。更に、第３レンズ群Ｌ３の正レンズＬ３ｐと第４レンズ群Ｌ４に高屈折率ガラスを使用して、像面湾曲の平坦化を図っている。観察側に最も近い第５レンズ群Ｌ５は、シングルレンズでも接合レンズでも良い。倍率色収差を更に良好に補正するため、第５レンズ群Ｌ５を接合レンズとした場合、接合レンズの接合面を瞳位置に対しコンセントリックに近い曲率とすることによって周辺視野光束に収差を発生させないようにすることができる。
【００１５】
上記接眼レンズを構成において第１レンズ群を構成する２レンズのガラス材料を適切に組み合わせることによって更に視野周辺の色収差が良好に補正される。第Ｉレンズ群の第１レンズと第２レンズを構成するガラス材料のアッベ数、部分分散比をそれぞれν１ｄ，θ１ｇｄ，ν２ｄ，θ２ｇｄとするとき、次式を満たすのが望ましい。
【００１６】
０．０００４＜（θ１ｇｄ−θ２ｇｄ）／（ν２ｄ−ν１ｄ）＜０．０００９
且つ、８０＜ν１ｄ
数値条件式は視野周辺での短波長の倍率色収差が大きく発生するのを抑えるためのものである。上限を超えると倍率色収差が大きく発生し、画像周辺の画像が劣化する。下限は実在ガラスの範囲で実現できる限界である。
【００１７】
図５及び図６は接眼レンズのそれぞれ異なる対物レンズを被写体側に付加した望遠鏡レンズ断面図である。
【００１８】
何れも望遠鏡の倍率は１０倍であり、且つ、自動的に手ぶれ補正が可能となる望遠鏡を想定した光学系である。図中、ＯＢＪは対物レンズ、Ｌ６，Ｌ７は対物レンズＯＢＪを構成する第６レンズ群、第７レンズ群、ＶＡＰは頂角可変プリズム、Ｐは正立プリズムである。ＶＡＰは頂角可変の特徴を生かして望遠鏡装置の振れ角に応じて頂角を変化させ観察像を見かけ上静止させる機能を持たせることができる。Ｐは対物レンズＯＢＪで反転した像を正立像に変換し接眼レンズＯＣＬでは正立像が観察できるようにするプリズムであり、図では展開系で示している。
【００１９】
望遠鏡レンズの性能を確保するためには、接眼レンズＯＣＬの性能を良好にすると同時に対物レンズＯＢＪの性能も良好にする必要がある。本発明の実施の形態では良好な性能を有する対物レンズを組み合わせている。
【００２０】
接眼レンズの各縦収差図を図３及び図４に示す。
【００２１】
又、望遠鏡レンズの各縦収差図を図７及び図８に示す。尚、各縦収差図の単位は、球面収差と像面湾曲はデイオプトリー、歪曲は％、倍率色収差は度である。図中、ｄ，Ｆ，Ｃ，ｇは波長ｄ線、Ｆ線、Ｃ線、ｇ線の収差を、Ｍ，Ｓはメリデイオナル像面、サジタル像面の収差を表す。各縦収差図により本発明のレンズ構成は見掛け視界が６４度と広視界にも拘らず高性能の光学性能を実現することが分かる。
【００２２】
次に各実施例の数値を以下に示す。
【００２３】
【表１】
2006171636.tif 000003
【００２４】
【表２】
2006171636.tif 000004
【００２５】
【表３】
2006171636.tif 000005
【００２６】
【表４】
2006171636.tif 000006
次に、数値条件式に対応する各実施例の数値を表５に示す。
【００２７】
【表５】
2006171636.tif 000007
図９は望遠鏡レンズの実施例１を１対用意した双眼鏡である。左右の対物レンズに対し左右に配置された正立プリズムであるポロII型プリズムと接眼レンズを対物レンズの光軸を回転軸にして左右それぞれ一体的に回動することによって眼幅調整を行うことができる。尚、図中、ＯＢＪＲ，ＶＡＰＲ、ＰＲ，ＯＣＬＲ，ＯＡＲは双眼鏡の右側に配置された対物レンズ、頂角可変プリズム、正立プリズム、接眼レンズ、対物レンズ光軸を表し、ＯＢＪＬ，ＶＡＰＬ，ＰＬ，ＯＣＬＬ  ＯＡＬは双眼鏡の左側に配置された対物レンズ、頂角可変プリズム、正立プリズム、接眼レンズ、対物レンズ光軸を表す。
【００２８】
図７の縦収差図で示したように、図９の双眼鏡は１０倍、６４度の広視界にも拘らず良好な性能を確保できる。
【図面の簡単な説明】
【００２９】
【図１】本発明の接眼レンズ実施例１のレンズ断面図である。
【図２】本発明の接眼レンズ実施例２のレンズ断面図である。
【図３】本発明の接眼レンズ実施例１の縦収差図である。
【図４】本発明の接眼レンズ実施例２の縦収差図である。
【図５】本発明の望遠鏡レンズ実施例１のレンズ断面図である。
【図６】本発明の望遠鏡レンズ実施例２のレンズ断面図である。
【図７】本発明の望遠鏡レンズ実施例１の縦収差図である。
【図８】本発明の望遠鏡レンズ実施例２の縦収差図である。
【図９】本発明の望遠鏡レンズ実施例１を一対用いた双眼鏡光学系を示す図である。
【符号の説明】
【００３０】
Ｌ１    第１レンズ群
Ｌ２    第２レンズ群
Ｌ３    第３レンズ群
Ｌ４    第４レンズ群
Ｌ５    第５レンズ群
Ｌ６    第６レンズ群
Ｌ７    第７レンズ群
ＭＩＰ  中間像位置
ＯＢＪ，ＯＢＪＲ，ＯＢＪＬ  対物レンズ
ＶＡＰ，ＶＡＰＲ，ＶＡＰＬ  頂角可変プリズム
Ｐ，ＰＲ，ＰＬ  正立プリズム
ＯＣＬ，ＯＣＬＲ，ＯＣＬＬ  接眼レンズ
ＯＡＲ，ＯＡＬ  対物レンズ光軸
【図１】
2006171636.tif 000008
【図２】
2006171636.tif 000009
【図３】
2006171636.tif 000010
【図４】
2006171636.tif 000011
【図５】
2006171636.tif 000012
【図６】
2006171636.tif 000013
【図７】
2006171636.tif 000014
【図８】
2006171636.tif 000015
【図９】
2006171636.tif 000016